(57)【特許請求の範囲】
【請求項１】
平坦なポリオレフィン製プラスチックシートに抜き加工によって、差し込み口と差し込み口より大きな形状の頂部を有するＴ字状止め部からなる止め具を設け、前記Ｔ字状止め部の頂部である横棒部分の上半分が同じ横棒部分の下半分に重なるように２つに折り曲げ全縁部を接着し２重とすることによってその強度を補強し、止め部の先端を持って鉄管やロープに巻き付けた後差し込み口に通して固定することを特徴とする工事現場用簡易ワンタッチ吊り下げ標識。
【発明の詳細な説明】
【０００１】
【産業上の利用分野】
本発明は、主として建設工事現場で安全・警戒・指示標識として使用されるワンタッチ吊り下げ標識に関するものであって、構造が簡単なため軽量であり、かつワンタッチで取り付けが簡単にできるという特徴を有するものである。
【０００２】
【従来の技術】
従来、これらの吊り下げ標識は薄くて、柔らかいプラスチックシートに適切な指示内容が印刷されたものであって、図１に示されるように、建設工事現場の単管やロープ等に吊り下げて使用され、針金や紐などを利用して単管やロープ等に固定されていた。
【０００３】
しかし、針金や紐で固定するのは面倒である、さらに針金は危ない等の理由によって、近年、ワンタッチで固定できる製品の要求が強まり、図２、図３に示されるように、止め具としてホックやマジックバンド（登録商標）を挿着した吊り下げ標識が販売されるようになった。
【０００４】
しかし、ホックで固定する吊り下げ標識は、止める時に簡便でない、しかもホック周辺で生地が破れやすい等の欠陥が指摘され、早々に市場から消えた。
【０００５】
また、マジックバンド方式のワンタッチ吊り下げ標識は容易に固定でき使いやすい、しかも丈夫である等好ましい方式であったが、現在使用されている塩化ビニル製のプラスチックシートは、低温時に硬くなって弾性がなくなり風などによってシートが破損する欠点を有するため、布により強化された帆布を使用せざるを得ず、材料的に高価な素材となって製品が高価となるのが難点であった。
【０００６】
さらに、塩化ビニル製のワンタッチ吊り下げ標識は、使用後、産業廃棄物となって焼却するときダイオキシンを発生させる環境問題のため、建築業界を始め業界からは代替品が強く要望されている。代替品としてポリオレフィン系のプラスチックシートが素材の価格面から有望であるが、ポリオレフィン系のマジックバンドは、接着性が悪いため特殊インキが必要なこと、高温時粘調質となる材料特性のため製造が困難となるため高価となること、ポリオレフィン同士を接着するのに普遍的な高周波ウエルダーが使えず高価な超音波ウエルダーが必要な加工方法となり加工費が増加する等、商品としてのトータルコストは高価な方向に推移しており、価格問題がネックとなっている。
【０００７】
【発明が解決しようとする課題】
従来方式のマジックバンド止め具方式のワンタッチ吊り下げ標識は、比較的安価な素材である塩化ビニル製であったが、低温時風の煽りにフイルムが裂ける欠点のため布で補強された帆布を使用せざるをえず、価格的に素材としての割安感が少なかった。
【０００８】
さらに、焼却するとダイオキシンが発生する塩化ビニルは最近の環境問題を重視する産業界から敬遠され、代替品の開発要望が強く要望されてきた。
【０００９】
この解決策の一提案として、ポリオレフイン系のワンタッチ吊り下げ標識が提案されつつあるが、止め具として使用されるポリオレフィン系のマジックバンドは技術的にも、価格的にも、製造的にも問題が山積みしていて開発が遅々として進んでいない。
【００１０】
即ち、マジックバンドはオスとメスから成り、オスがメスに食い込んで固定する構造となっているが、ポリオレフイン系のマジックバンドはポリオレフインの材質的特性のため、オスとの結合に優れたメスを作るとき平滑にするのが技術的に難しく、結果としてその価格を高価なものにすると共に、ポリオレフィン系のワンタッチ吊り下げ標識にポリオレフイン系のマジックバンドを接着させるには高価な超音波ウエルダーが必要となり加工費を上昇させることになってしまうなど、製品のトータルコストを上昇させ、塩化ビニル製のワンタッチ吊り下げ標識と同価格で提供するのは困難であるとの問題を抱えている。
【００１１】
しかし、ポリオレフイン素材は、低温時に弾性を失わない低温性を備えているので布地で強化しなくとも風などの煽りによって破損しない特徴を有しており、原材料的に塩化ビニルより高くても高価な素材とはならない利点がある。さらに、種々の機能性エラストマーを添加することによってもシートの強靭性や安価な高周波ウエルダーでも接着できるように接着性を改良することができる。
【００１２】
そのため、機能性エラストマーで改質されたポリオレフイン素材は原材料費が上昇するが、塩化ビニル帆布と異なり布地で強化する必要がないので製造費を安価にすることができるので、ワンタッチ吊り下げ標識に使用されるとき、シート材としての価格は低く押さえることができる。従って、マジックバンドの価格問題を解決出来れば、安価で優れた製品を提供することが可能となるものである。
このような観点から、使用部品を減らし製品価格を低下させるため、何等止め具を使用せず単管やロープなど所望の箇所に固定できるワンタッチ吊り下げ標識を提供できればば理想的といえるものである。
【００１３】
この問題を解決するために考案されたのが本発明であり、マジックバンド式であれ、ボタン式であれ、所定外の止め具を一切使用することなく所望の箇所に固定できる新規のワンタッチ吊り下げ標識を提供するところに、その特徴を有するものである。
【００１４】
【問題を解決するための手段】
本発明は、上記のごとき課題を解決するために開発したものであって、環境問題を抱える塩化ビニルや技術的問題を抱えるポリオレフイン系のマジックバンドを使用する事なく、単管やロープ等所望の箇所に固定できる止め具を具備したポリオレフイン系のワンタッチ吊り下げ標識を提供するところに、その特徴を有するものである。
【００１５】
ポリオレフイン系シートは塩化ビニル系シートに比べ原材料費が高く、物性的にも硬いなどの欠点はあるが、低温時の弾性に優れており風などの煽りによっても割れない等の特徴を有しているので、布で強化する必要がなくシート単体としては安価となる利点を有する。
【００１６】
さらに、ＥＶＡ（エチレンビニルアセチエイト）などの機能性エラストマーを配合したポリオレフインシートの物性は、欠点の１つである柔軟性が改良されると共に、接着性が悪い最大の欠点も塩化ビニル系シートの加工に普遍的に使用されている高周波ウエルダーによって接着できるようになるなど、その物性は大幅に改善できる。
【００１７】
従って、ポリオレフイン系のワンタッチ吊り下げ標識を安価に製造するには、マジックハンドなど特別の止め具を使用しなくともよい製品を開発すれば、上記問題は解決できるものである。ここでは、価格的な理由により、代表的なポリオレフイン系素材を使用して説明しているが、特に、この素材に限定されることがないことは自明の理であろう。
【００１８】
さらに、実施例にもとづき本発明を説明する。
４図に示すように、幅２９０×縦６５０ミリの長方形にカットした０．６ｍｍ厚のポリエチレン白地シートに適格な標示内容をスクリーン印刷・乾燥した後、４図に示された点線に沿って型抜き機によって抜き取り、５図に示めされるような形状のシートを作成すると、本発明の簡易ワンタッチ吊り下げ標識が完成する。
【００１９】
７は、止め部であり、８は、差し込み口である。止め部７は差し込み口より大きな形状の頂部を有するＴ字状であり、さらに、Ｔ字状止め部７の頂部である横棒部分の上半分が同じ横棒部分の下半分に重なるように２つに折り曲げ全縁部をウエルダーなどで接着し２重のシート形状とすると補強された止め部７ａとなって、６図に示されるような本発明の簡易ワンタッチ吊り下げ標識が完成される。図６の９は接着部であり、高周波ウエルダーなどによって結合される。
【００２０】
止め部７全てを差し込み口８に通して後部に移動させると、止め部７は差し込み口８より大きく作られているので止め部７は抜けなくなり、図７に示されるように、しっかりと固定される。この方法によれば、止め部７と差し込み口８の間には、その距離に見合った大きさの円筒が形成され、単管やロープを通せる空間が出来ることとなる。
【００２１】
プラスチックシートはポリエチレン、ポリプロピレン、アクリル、塩化ビニルなど目的にあった素材なら何等限定される事なく使用することができるが、塩化ビニルはダイオキシンが発生する環境問題のため好ましくはない。
また、あまり堅く弾性の強い素材は丸めたときの反発が強くなり使いずらくなるのでこれも好ましくない。
【００２２】
この実施例では０．６ｍｍ厚のシートを使用して説明しているが、実際には，０．３〜３．０ｍｍ厚み位ののシートが好ましいようであり、特に厚みが制限されるものではない。また、白地の不透明なシートの代わりに、透明のシートを使用すると標示内容が表裏両方向から確認できるので、使用場所が広がることになり好ましい。
【００２３】
実地での使用状態を説明することによって、この発明をさらに補足説明する。
図５に示される本発明の製品は、例えば、建築現場のロープ、バリケード、単管に吊して使用されるが、止め部７をもってロープに巻き付けてから縦方向に丸めて差し込み口８に挿入する。
【００２４】
挿入後、元の大きさに戻されると止め部７は差し込み口８より充分大きくなり、さらに、止め部７は十分な剛性を持っているので差し込み口８にしっかりと固定され、容易に抜けることはなくなる。
【００２５】
バリケードや単管はロープより太いので、ロープ用の差し込み口の位置で出来る円筒の口径が小さくなり止めることができないが、止め部７と差し込み口８間の距離を離せば、出来る円筒の直径が大きくなるのでこの問題は解決できる。
【００２６】
【発明の効果】
本発明は、環境問題を抱える塩化ビニルや技術的問題を抱えるポリオレフイン系のマジックバンドを使用する事なく、単管やロープなど所定の箇所に固定できる止め具を具備したポリオレフイン系の簡易ワンタッチ吊り下げ標識を提供することによって、下記のような種々の効果を得る事ができる。
【００２７】
ア．本発明の簡易ワンタッチ吊り下げ標識は、マジックバンド等のような高価な止め具を使用しないので安価な製品を提供できる。
【００２８】
イ．止め部と差し込み口の距離を調整するだけで、どんな口径の管にも容易に吊り下げることができる。
【００２９】
ウ．印刷、抜き加工（場合によっては、ウエルダー加工を含む）のみの簡単な加工で製作できるので量産が容易で、製造費は非常に安価となる。
【００３０】
エ．ポリエチレンなど環境に優しい素材を使用し、普遍的でエネルギーの少ない方法で製造できるので、地球環境問題も考慮した安価な製品を提供できる
。
【図面の簡単な説明】
【図１】現行のマジックバンド方式ワンタッチ吊り下げ標識の実地での使用例。
【図２】マジックバンド方式ワンタッチ吊り下げ標識の平面図。
【図３】ボタン方式ワンタッチ吊り下げ標識の平面図。
【図４】本発明の簡易ワンタッチ吊り下げ標識の標示内容を印刷した平面図。点線部は抜き取り予定部分。
【図５】本発明の簡易ワンタッチ吊り下げ標識の完成平面図。
【図６】図５の止め部７を２つに折って接着し２重にして、止め部の強度を増加させたもう一つの本発明になる簡易ワンタッチ吊り下げ標識の完成平面図。
【図７】本発明の簡易ワンタッチ吊り下げ標識の実地での使用例。
【図１】
0004605832.tif 000002
【図２】
0004605832.tif 000003
【図３】
0004605832.tif 000004
【図４】
0004605832.tif 000005
【図５】
0004605832.tif 000006
【図６】
0004605832.tif 000007
【図７】
0004605832.tif 000008